(57)【要約】【課題】  本発明は大型のバレル内でも処理物に効率よく投射材を投射できるとともに、処理物を効率よく撹拌することができ、バリ取り作業を効率よく行なうことができるショットブラスト装置を得るにある。【解決手段】  ブラスト処理室内に傾斜状態で回転するバレルが設けられたショットブラスト装置において、前記バレルの内壁面に、該バレルの投入口側の先端部より、底面側の後端部が回転方向に先に位置するように傾斜状態で固定された撹拌板本体と、この撹拌板本体の後端部側を除く部位の先端部に形成された、該撹拌板本体に乗った処理物を前記バレルの底面方向へ案内する返し板とからなる撹拌板を設けてショットブラスト装置を構成している。【選択図】  図１
2015062963.tif 000002
【特許請求の範囲】
【請求項１】
ブラスト処理室内に傾斜状態で回転するバレルが設けられたショットブラスト装置において、前記バレルの内壁面に、該バレルの投入口側の先端部より、底面側の後端部が回転方向に先に位置するように傾斜状態で固定された撹拌板本体と、この撹拌板本体の後端部側を除く部位の先端部に形成された、該撹拌板本体に乗った処理物を前記バレルの底面方向へ案内する返し板とからなる撹拌板を設けたことを特徴とするショットブラスト装置。
【請求項２】
撹拌板本体と返し板とは直角に折り曲げられるとともに、返し板のバレルの投入口側の先端部は内側へ折り曲げ、脱落防止部が形成されていることを特徴とする請求項１記載のショットブラスト装置。
【請求項３】
バレルの底面は中央部が内側へ突出する円錐、円錐台形状、多角錐あるいは多角錐台形状に形成されていることを特徴とする請求項１記載のショットブラスト装置。
【発明の詳細な説明】
【技術分野】
【０００１】
本発明はバリ取りを行なう処理物が大型で、大量に処理する場合に使用する大型にしたショットブラスト装置に関する。
【背景技術】
【０００２】
従来のショットブラスト装置は、小さな成型品に付着している微細なバリを除去する場合に使用されている。
しかしながら、最近、大きな成型品に付着しているバリを除去するのに使用したいという話があり、この対策としてバレルの大型化、投射材、投射機の大型化で対応しているが、このような対策ではバレル内の撹拌板は長方形状の板であるため、処理物の大きさに合わせて大型化すると、投射材の妨げになったり、撹拌板の取付け角度はバレルの底面に対して垂直に取付けてあるため、処理物が撹拌板に乗り上がらず、十分な撹拌ができないという欠点があった。
【先行技術文献】
【特許文献】
【０００３】
【特許文献１】特開２００４−２０９６０４号公報
【発明の概要】
【発明が解決しようとする課題】
【０００４】
本発明は以上のような従来の欠点に鑑み、大型のバレル内でも処理物に効率よく投射材を投射できるとともに、処理物を効率よく撹拌することができ、バリ取り作業を効率よく行なうことができるショットブラスト装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はブラスト処理室内に傾斜状態で回転するバレルが設けられたショットブラスト装置において、前記バレルの内壁面に、該バレルの投入口側の先端部より、底面側の後端部が回転方向に先に位置するように傾斜状態で固定された撹拌板本体と、この撹拌板本体の後端部側を除く部位の先端部に形成された、該撹拌板本体に乗った処理物を前記バレルの底面方向へ案内する返し板とからなる撹拌板を設けてショットブラスト装置を構成している。
【発明の効果】
【０００７】
以上の説明から明らかなように、本発明にあっては次に列挙する効果が得られる。
（１）請求項１により、撹拌板本体に乗った処理物を返し板によって、該撹拌板本体から脱落するのを防止できるとともに、バレルが回転して撹拌板本体が上方へ移動することにより、処理物は撹拌板本体上を滑って、バレルの底面へ落下させることができる。
したがって、処理物を回転方向に移動させるとともに、バレルの投入口側から底面方向（前後方向）の移動ができ、効率よく撹拌することができる。
（２）前記（１）により、撹拌板本体をバレルの内壁面に、該バレルの投入口側の先端部より底面側の後端部が、回転方向が先に位置するように傾斜状態で固定されているので、処理物の前後方向に効率よく移動させることができる。
したがって、処理物の撹拌効果の向上を図ることができる。
（３）前記（１）により、構造が簡単で、安価に設置することができる。
（４）請求項２も前記（１）〜（３）と同様な効果が得られるとともに、返し板の脱落防止部によって、処理物をさらに効率よく撹拌することができる。
（５）請求項３も前記（１）〜（３）と同様な効果が得られるとともに、バレルの底面の中央部が内側へ突出する円錐、円錐台形状、多角錐あるいは多角錐台形状に形成されているので、処理物をより効率よく撹拌することができる。
【図面の簡単な説明】
【０００８】
【図１】本発明を実施するための第１の形態の断面図。
【図２】本発明を実施するための第１の形態のバレルの正面図。
【図３】図２の３−３線に沿う断面図。
【図４】図３の４−４線に沿う断面図。
【図５】本発明を実施するための第１の形態の撹拌板の動作説明図。
【図６】本発明を実施するための第２の形態の平面図。
【図７】図６の７−７線に沿う断面図。
【図８】本発明を実施するための第２の形態の投射材の投射状態の説明図。
【発明を実施するための形態】
【０００９】
以下、図面に示す本発明を実施するための形態により、本発明を詳細に説明する。
【００１０】
図１ないし図５に示す本発明を実施するための第１の形態において、１は大型の成形品（処理物）よりバリを除去する本発明の大型のショットブラスト装置で、この大型のショットブラスト装置１はほぼ中央部にホッパー２を設け、上部に上部開閉扉３を備えるブラスト処理室４が形成され、下部に下部開閉扉５を備える投射材処理室６が形成されたケース体７と、このケース体７の前記ブラスト処理室４内に、前記上部開閉扉３側に投入口８が位置するように傾斜状態で設置され、かつ、ホッパー２に図示しない支持板で固定的に支持された回転駆動装置９で回転するように取付けられた、重さが２６ｋｇ程の大型バレル１０と、この大型バレル１０内へ収納したバリ取り成型品等の処理物１１へ投射材１２を投射できるように、前記ケース体７の上部に取付けられたインペラー１３を用いた投射機１４と、前記投射材処理室６に設けられた前記ホッパー２からの大バリ、投射材、小バリが落下してくるのを受けて選別する選別装置１５と、この選別装置１５で選別された投射材１２を供給する、該部より前記投射機１４へ吸引ホース１６を介して供給できる投射材貯槽１７と、前記選別装置１５で選別された大バリを収納する大バリ収納容器１８と、前記選別装置１５で選別された小バリを収納する小バリ収納容器１９と、前記ブラスト処理室４内へ冷媒を供給する冷媒供給装置２０とで構成されている。
【００１１】
前記大型バレル１０は八角形状で、上下部が小径となる多数個の孔２１が形成された八角筒状のバレル本体２２と、このバレル本体２２の底面を覆う中央部が内側へ突出する円錐、円錐台形状、多角錐あるいは多角錐台形状に形成された底板２３と、前記バレル本体２２の内壁面に、該バレル本体２２の投入口８側の先端部２４ａより、底面側の後端部２４ｂが、回転方向が先に位置するように傾斜２５状態で固定されたほぼ三角形状の撹拌板本体２４、この撹拌板本体２４の後端部２４ｂ側を除く部位の先端部に形成された、該撹拌板本体２４に乗った処理物１１を前記バレル本体２２の底面方向に案内する返し板２６、この返し板２６のバレル本体２２の投入口８側の先端部に折り曲げ形成された脱落防止部２７とからなる撹拌板２８とで構成されている。
【００１２】
上記構成のショットブラスト装置１は上部開閉扉３を開放し、大型バレル１０の投入口８より大型の処理物１１を投入し、上部開閉扉３を閉じる。
【００１３】
しかる後、必要に応じてブラスト処理室４内に冷媒供給装置２０の開閉弁２９を開放して冷媒を供給し、投射機１４、回転駆動装置９および選別装置１５を駆動させると、大型バレル１０が回転するとともに、投射機１４のインペラー１３によって、選別装置１５で選別された投射材１２を大型バレル１０内の処理物１１に投射して、バリを除去する。
【００１４】
この時、大型バレル１０内に収納された処理物１１は、大型バレル１０が回転するとともに、撹拌板２８によって撹拌板本体２４上に処理物１１が乗り、返し板２６で撹拌板本体２４に乗った処理物１１を落とすことなく、上方へ押し上げると、返し板２６の後端部２４ｂ側へ処理物１１がスライド移動して、大型バレル１０の底板２３へ落下させる。
【００１５】
このことにより、処理物１１を大型バレル１０の投入口８と底板２３方向（前後方向）にスライド移動させながら撹拌することができ、効率のよい撹拌ができる。
【００１６】
[発明を実施するための異なる形態]
次に、図６ないし図８に示す本発明を実施するための異なる形態につき説明する。なお、この本発明を実施するための異なる形態の説明に当って、前記本発明を実施するための第１の形態と同一構成部分には同一符号を付して重複する説明を省略する。
【００１７】
図６ないし図８に示す本発明を実施するための第２の形態において、前記本発明を実施するための第１の形態と主に異なる点は、ケース体７に大型バレル１０内へ投射材１２、１２をインペラー１３、１３で投射することができる投射機１４、１４を２台、大型バレル１０に対して傾斜され、千鳥になるように配置した点で、このように２台の投射機１４、１４を用いたショットブラスト装置１Ａにしても、前記本発明を実施するための第１の形態と同様な作用効果が得られるとともに、大型バレル１０内の処理物１１に対し、広範囲で確実に投射材１２、１２を投射することができる。
【００１８】
なお、前記本発明の各実施の形態では八角筒状のバレル本体２２を用いるものについて説明したが、本発明はこれに限らず、上下部が小径の円筒状であってもよく、底板が平板状のものを用いてもよい。
【産業上の利用可能性】
【００１９】
本発明は大型な成型品の処理物より、バリ取り作業を大量に処理する場合に使用される大型のショットブラスト装置を製造する産業で利用される。
【符号の説明】
【００２０】
１、１Ａ：ショットブラスト装置、
２：ホッパー、      ３：上部開閉扉、
４：ブラスト処理室、    ５：下部開閉扉、
６：投射材処理室、      ７：ケース体、
８：投入口、        ９：回転駆動装置、
１０：大型バレル、      １１：処理物、
１２：投射材、      １３：インペラー、
１４：投射機、      １５：選別装置、
１６：吸引ホース、      １７：投射材貯槽、
１８：大バリ収納容器、    １９：小バリ収納容器、
２０：冷媒供給装置、    ２１：孔、
２２：バレル本体、      ２３：底板、
２４：撹拌板本体、      ２５：傾斜、
２６：返し板、      ２７：脱落防止部、
２８：撹拌板、      ２９：開閉弁。
【図１】
2015062963.tif 000003
【図２】
2015062963.tif 000004
【図３】
2015062963.tif 000005
【図４】
2015062963.tif 000006
【図５】
2015062963.tif 000007
【図６】
2015062963.tif 000008
【図７】
2015062963.tif 000009
【図８】
2015062963.tif 000010